(57)【要約】【課題】視聴者が、番組を選択するために各番組の映像を順次視聴した場合に、所望の番組を容易に識別できる番組選択方法を提供する【解決手段】表示画面内には、ザッピングしてきた番組のシーンをキャプチャした静止画フレーム９０３のリストが、番組名と共に表示される。また、ザッピング動作直前に視聴していた番組のシーンをキャプチャした静止画フレーム４０９が表示される。さらに、視聴中の映像ストリームである番組コンテンツ４０１、番組の内容説明４０２が表示される。視聴者は、静止画フレームのリストから番組を選択する。【選択図】図４
2008067403.tif 000002
【特許請求の範囲】
【請求項１】
視聴者が所定の期間内の間隔で視聴番組を切り替えるザッピング動作を行った場合に、視聴者に番組を容易に識別させるための番組選択方法であって、
前記ザッピング動作の開始前に視聴されていた番組の特定のシーンの静止画像又は動画像を蓄積する第１の蓄積工程と、
前記ザッピング動作によって選択された各視聴番組の特定のシーンの静止画像又は動画像を蓄積する第２の蓄積工程と、
前記第２の蓄積工程で蓄積された各視聴番組の画像を、前記ザッピング動作によって選択された視聴番組の順番に従って配列して選択可能に提示するとともに、前記第１の蓄積工程で蓄積された画像を選択可能に提示する工程と、
提示された複数の画像の中から選択された画像に対応する番組を選局して表示させる工程とを含むことを特徴とする番組選択方法。
【請求項２】
前記提示工程において、前記第１の蓄積工程で蓄積された画像を、前記ザッピング動作により選択中の視聴番組に対応する画像に隣接する位置に選択可能に提示することを特徴とする請求項１に記載の番組選択方法。
【請求項３】
前記提示工程において、前記ザッピング動作が開始されてからの累積時間をさらに提示することを特徴とする請求項１に記載の番組選択方法。
【請求項４】
視聴者が所定の期間内の間隔で視聴番組を切り替えるザッピング動作を行った場合に、視聴者に番組を容易に識別させるための番組選択制御装置であって、
前記ザッピング動作の開始前に視聴されていた番組の特定のシーンの静止画像又は動画像、及び前記ザッピング動作によって選択された各視聴番組の特定のシーンの静止画像又は動画像を蓄積する蓄積手段と、
前記蓄積手段により蓄積された各視聴番組の画像を、前記ザッピング動作によって選択された視聴番組の順番に従って配列して選択可能に提示するとともに、前記蓄積手段により蓄積された、前記ザッピング動作の開始前に視聴されていた番組の画像を選択可能に提示する提示手段と、
前記提示手段により提示された複数の画像の中から選択された画像に対応する番組を選局して表示させる表示制御手段とを備えることを特徴とする番組選択制御装置。
【請求項５】
前記提示手段は、前記ザッピング動作の開始前に視聴されていた番組の画像を、前記ザッピング動作により選択中の視聴番組に対応する画像に隣接する位置に選択可能に提示することを特徴とする請求項４に記載の番組選択制御装置。
【請求項６】
前記提示手段は、前記ザッピング動作が開始されてからの累積時間をさらに提示することを特徴とする請求項４に記載の番組選択制御装置。
【発明の詳細な説明】
【技術分野】
【０００１】
本発明は、番組の選択を行う番組選択方法及び番組選択制御装置に関する。
【背景技術】
【０００２】
視聴者が現在放映中の番組群から所望の番組を探索する場合、最も慣れ親み、かつ使用頻度も高い方法として、リモコンのUp／Downキーやテンキーを用いてチャンネルを選局し、直接番組を視聴しながら探す方法がある。Up／Downキーによる選局では、探索順序はチャンネル順となる。テンキーによる選局では、テンキー毎にチャンネルが割り当てられているため、探索順序は、視聴者のテンキーの選択順となる。視聴者は、上記いずれかの方法を用いて所望の番組の探索を行うこととなる（以下、この操作をザッピングと呼ぶ）。
【０００３】
近年、放送のデジタル化により、視聴可能な番組数が増加している。これは視聴者にとって、興味のある番組数が増えるメリットがある一方で、上記のザッピング操作では、所望の番組を見つけるために煩雑な操作を要する問題が生じている。Up/Downキーによるザ
ッピングでは、チャンネル数の増加が、そのままザッピングに要する操作工数の増加となる。テンキーによるザッピングでは、キーに割り当てられたチャンネルを選択する分には、従来と同様の操作ができるが、キーに割り当てられていない番組をザッピングする場合は、煩雑な操作が必要となる。番組を探索する方法として、その他にEPG（電子番組表）
がある。EPGは、簡易のソート機能がついているものも多く、番組の探索に適した面もあ
るが、文字主体の検索方法であり、従来の映像主体で番組の探索を行ってきた視聴者にとっては、必ずしも使用しやすい方法とは言いがたい。
【０００４】
このような状況の中で、ユーザ嗜好を反映させたUp／Downキーによるザッピング方法が提案されている。これは視聴者が番組を視聴した履歴情報から視聴者の嗜好を推測し、それをザッピングに利用するものである。具体的には、選択順序をチャンネル順ではなく視聴者の嗜好度の高い番組順にすることが、特許文献１に記載されている。もし、この順序が正確に視聴者の嗜好を反映させている場合は、視聴者は従来と同様の操作によって、所望の番組を比較的容易に見つけ出していくことができる。
【特許文献１】特開２０００−２５３３２５号公報
【発明の開示】
【発明が解決しようとする課題】
【０００５】
上記の方法は、多チャンネルの環境下でも従来のザッピング操作で、比較的容易に所望の番組にアクセスできるために有効である。一方で、映像主体の従来のザッピング方法では、依然いくつかの課題がある。その一つに、一通りザッピングした番組群から、再度一つの番組を選択する際、映像からでは前記番組を識別しづらいことが挙げられる。これは特定の番組を選局しようとする際、視聴者は前回見た映像をたよりに番組を探すが、その映像が前回とかけ離れた内容になってしまっているために起こる。番組数の多い環境下で視聴者の嗜好度の高い順のザッピングを行う場合、視聴者は、チャンネル番号や番組名を意識することが少なくなるため、今後はそうした問題がより顕著になることが予想される。
【０００６】
本発明は、上記課題を解決する上で有効となる新たな番組選択方法を構築するためになされたものであり、その目的は、視聴者が、番組を選択するために各番組の映像を順次視聴した場合に、所望の番組を容易に識別できる番組選択方法及び番組選択制御装置を提供することにある。
【課題を解決するための手段】
【０００７】
上記目的を達成するために、本発明に係る番組選択方法は、視聴者が所定の期間内の間隔で視聴番組を切り替えるザッピング動作を行った場合に、視聴者に番組を容易に識別させるための番組選択方法であって、前記ザッピング動作の開始前に視聴されていた番組の特定のシーンの静止画像又は動画像を蓄積する第１の蓄積工程と、前記ザッピング動作によって選択された各視聴番組の特定のシーンの静止画像又は動画像を蓄積する第２の蓄積工程と、前記第２の蓄積工程で蓄積された各視聴番組の画像を、前記ザッピング動作によって選択された視聴番組の順番に従って配列して選択可能に提示するとともに、前記第１の蓄積工程で蓄積された画像を選択可能に提示する工程と、提示された複数の画像の中から選択された画像に対応する番組を選局して表示させる工程とを含む。
【発明の効果】
【０００８】
本発明によれば、視聴者が、番組を選択するために各番組の映像を順次視聴した場合に、所望の番組を容易に識別できる番組選択方法および番組選択制御装置を提供することができる。
【発明を実施するための最良の形態】
【０００９】
以下、本発明の実施の形態を、図面を参照して説明する。
【００１０】
（第１の実施の形態）
図１は、本発明の第１の実施の形態に係る受信装置１０の構成を示すブロック図である。
【００１１】
本装置は、受信部１０１を介して、デジタル放送、もしくはアナログ放送の受信が可能になっている。受信部１０１によって受信された放送データは、復調・分離された後、番組を構成する映像や音声などのＡＶストリーム（以下、番組コンテンツ９０１とする）と、番組に関する情報（以下、番組関連情報９０２とする）に分けられる。その後、前記番組コンテンツ９０１は、静止画フレーム取得部１０２に送られる。前記番組関連情報９０２は、蓄積部１０６に送られる。番組関連情報９０２は、現在、BSデジタル放送データ内に多重化されて送信されるSI(Service Information)中に含まれる番組情報と同様の内容
を含む。通常、一週間程度先までの番組の番組関連情報９０２が蓄積部１０６に蓄積される。
【００１２】
静止画フレーム取得部１０２は、受信部１０１によって分離された番組コンテンツ９０１を復号し、画面合成部１０３に渡すと共に、前記復号後の番組コンテンツ９０１から任意の静止画フレーム９０３をキャプチャし、蓄積部１０６に渡す。また同様に、番組コンテンツ９０１中の音声情報を不図示の音声出力部に渡す。画面合成部１０３は、受信部１０１から静止画フレーム取得部１０２を介して受け取った番組コンテンツ９０１と、蓄積部１０６から受け取った静止画や文字図形などの情報との合成や切替を行う。通常のテレビ視聴を行う場合、画面合成部１０３は、静止画フレーム取得部１０２から受け取った番組コンテンツ９０１中の動画情報を表示部１０４に渡す。一方、ＥＰＧの表示や番組の内容を表す情報を表示する場合は、蓄積部１０６から取得した番組関連情報９０２を含む静止画や文字図形情報を、前記動画情報の上に合成させて表示部１０４に渡す。表示部１０４は、画面合成部１０３からの合成結果を画面上に出力し、視聴者に提示する。同様に前記音声出力部も取得した音声情報を静止画と同期させて出力する。なお、画面提示を行う表示部１０４は、受信装置１０内ではなく、外部に存在しても良い。
【００１３】
蓄積部１０６は、前記番組関連情報９０２を蓄積するほか、静止画フレーム９０３の蓄積を行う。蓄積部１０６は、ハードディスクや半導体メモリによって構成することができるが、これらに限られるものではない。なお、受信装置１０は、モデム１０８を有してい
る。番組関連情報９０２は、インターネット上の特定のサイトに存在することもあり、その場合、受信装置１０は、前記モデム１０８を介してインターネットに接続し、前記番組関連情報９０２をダウンロードすることもできる。モデム１０３を介して取得した番組関連情報９０２も、前記と同様に蓄積部１０６に蓄積される。
【００１４】
視聴者は、番組を視聴する際の操作手段としてリモコン２０を使用する。リモコン２０上のキーの構成例を図２に示した。リモコン２０は、構成として、通常のUp/Downキー６
０５とテンキー６０４、電源キー６０６、上下左右の矢印キー６０２と決定キー６０１、及び表示イメージを切替える表示切替キー６０３を少なくとも有する。また、それ以外に、ＥＰＧを表示するための『番組表』キーや、番組内容を表示するための『番組内容』キーを有しても良い。視聴者のリモコンキー押下によって生じたリモコン情報９０４は、リモコン入力部１０７によって受信され、制御部１０５に渡される。制御部１０５は、前記リモコン情報９０４を受け取ると、それに応じた選局制御情報を受信部１０１に出す。受信部１０１は、前記選局制御情報によって指定されたチャンネルへのチューニングを行う。一方、制御部１０５は、静止画フレーム取得部１０２に対して、静止画フレームを抽出して、蓄積部１０６に蓄積するための制御情報を出す。前記制御情報は、視聴者の選局履歴およびの同一番組の視聴時間に応じて適宜出される。また、リモコン入力部１０７からリモコン情報９０４として、表示切替の情報を受信した場合、制御部１０５は、画面合成部１０３に対して、所定の画面への切替えるための制御情報を出す。
【００１５】
次に、上記装置１０による番組選択処理について説明を行う。
【００１６】
図３にザッピング操作を行なった場合の画面遷移の様子を示した。視聴者は、最初にチャンネル番号１の音楽番組を視聴している場合を想定している。ここでは選局にはリモコン２０にある左右の矢印キー６０２の使用を想定しているが、Up/Downキー６０５を用い
ても良い。以下では左右の矢印キー６０２を使用して説明を行う。また、ここでは例として、チャンネル順の選局ではなく、視聴者の嗜好情報に基づいた選局を行なっている。そのため、ザッピング時に現れるチャンネル番号は不規則となる。図３では、視聴者は、チャンネル番号１の番組を視聴後、右矢印キー６０２を押すと、チャンネル番号４２、チャンネル番号１３３、チャンネル番号３と遷移していく。ここでは、制御部１０５は、嗜好情報として、番組を、嗜好度の高いものから順に並べた選局リスト（不図示）を保持している。
【００１７】
なお、視聴者の嗜好情報は、視聴者によって手動で設定されるか、あるいは受信装置１０によって動的に生成される。後者の場合、視聴者の嗜好情報を生成するために、受信装置１０は、視聴者のリモコン操作のログを取り、視聴者の視聴した履歴情報を保持する手段を有する。更に、前記取得した前記視聴履歴情報より、視聴者の視聴番組に対する嗜好情報を生成する手段を有する。また更に、特定時刻に前記嗜好情報に基づくザッピングを可能にするために、前記生成した視聴者の嗜好情報より特定時刻にザッピングを行うための選局リストを生成する手段を有する。
【００１８】
図４に前記ザッピングによる番組選択を行なった後に、リモコン２０の表示切替キー６０３を押下して表示の切替を行なった場合の提示例を示した。画面内には、視聴中の映像ストリームである番組コンテンツ９０１（図４、４０１）の他、番組の内容説明（図４、４０２）が表示される。前記番組の内容説明は、番組関連情報９０２を基に作成する。また、視聴者の嗜好情報を表示できる機能があるならば、それを前記番組の内容説明と共に表示しても良い。更に、図４ではこれまでザッピングしてきた番組の一部を表した静止画フレーム９０３が番組名とともに同時に表示される。つまり、選局済みリストは静止画フレームリストとそれに対応した番組名リストが、視聴番組毎にそれぞれ対応付けされて統合されて表示される。本発明においては、視聴した番組名リストは省略することもでき、
この場合は静止画フレームをもとに過去の視聴番組を選ぶことになる。各静止画フレーム９０３は、ザッピング中に視聴者が視聴した番組映像の一部である。ここでは、元見ていた番組名「音楽Ａ」４０３から、順に「ニュースＤ」４０４、「バラエティＥ」４０５、「スポーツＣ」４０６とザッピングしてきたことになる。前記静止画フレームと番組名は、リモコン２０の左右矢印キー６０２で選択可能であり、選択を行うたびに、それに応じたフォーカスの移動、及び番組コンテンツ９０１（図４、４０１）や番組内容の説明（図４、４０２）の切替が行われる。例えば、ここでは番組名「スポーツＣ」４０６の静止画フレーム及び番組名にフォーカスがあるが、ここで左矢印キー６０２を押すと、番組名「バラエティＥ」４０５にフォーカスが移り、更に番組コンテンツ９０１と番組内容の説明が、「バラエティＥ」４０５に切り替わる。なお、番組名は表示されているが、静止画フレーム９０３が存在しない部分がある（図４、４０７及び４０８）。ここは、視聴者がまだ選局していないため、静止画フレーム９０３が存在していないことを示している。なお、本実施の形態では、選局リストに従った選局を行っているため、番組名だけは、選局前に画面上に表示することができる。そのため、更に右矢印キー６０２を押すと、番組名「ニュースＦ」４０７の部分にフォーカスが移り、「ニュースＦ」４０７の静止画フレーム９０３が、所定の場所に表示される。一方、ここではザッピングが開始された時からの累積時間（図４、４０３）を同時に表示することができる。視聴者は、よく番組の切り替わり時やＣＭ放映中に、裏番組の確認を行う。前記ザッピング開始からの累積時間の表示は、このような場合に、視聴者がいつ元の番組に戻れば良いかを判断できるようにするために設ける。前記累積時間の表示方法については後述する。同様に、上記の場合に、現在選択している番組から、元見ていた番組に容易に戻れることが望ましい。そのため、図４の提示例では、フォーカスの上部に元見ていた番組の番組名と静止画フレーム９０３（図４、４０９）が常に表示される。視聴者はいつでも上矢印キー６０２押下によって、元見ていた番組を選択することができる。図５は、図４で示した画面提示例の画面下半分の変化を示したものであり、右の矢印キー６０２を連続して押下した場合に、元見ていた画面４０９の画面移動の様子を示している。図５で示すように、元見ていた画面４０９は、常に上方向の矢印キーで選択可能な位置に表示される。
【００１９】
なお、図４で示した状態からの表示画面の切替は、全画面で表示したい番組にフォーカスがある状態で、再度表示切替キー６０３を押すか、決定キー６０１を押すことによって行われる。
【００２０】
以下では、図３及び図４に示した視聴者の嗜好情報に基づいた番組選択処理の説明を、図６、図７及び図８を使用して行う。
【００２１】
図６は、受信装置１０の起動から最初の番組を提示するまでの処理フローである。視聴者が受信装置１０を起動すると、制御部１０５は、最初に提示する番組にチューニングし、その前記番組を、視聴番組として設定する（図６、ステップＳ２０１）。視聴番組とした番組は、視聴者がザッピングする前に見ていた「元の番組」として設定される。最初に提示する番組は、前回までに視聴していた番組でも良い。または、前記選局リスト９０７に記載されている番組中、もっとも順位の高い番組でも良い。ステップＳ２０１後、受信装置１０はリモコン情報９０４の入力待ちとなる（図７、ステップＳ２０２）。
【００２２】
図７に、ザッピングが開始される前のリモコン入力待ちの状態からザッピングが開始されるまでの処理を示した。ステップＳ２０２にてリモコン情報９０４の入力を待つ。リモコン入力部１０８が、リモコン情報９０４を受信し、それが選局情報であると見なされると、制御部１０５は、ザッピングが開始されたとみなし、ザッピングの累積時間のカウントを開始する（図７、ステップＳ２０３）。その後、静止画フレーム取得部１０２に対して、選局前の番組、つまり、最初に視聴していた番組の静止画フレームを一つ以上取得するよう依頼を出す。静止画フレーム取得部１０２は、指定された番組の静止画フレームを
一つ以上キャプチャし、蓄積部１０６に蓄積した後、その終了通知を制御部１０５に送る（図７、ステップＳ２０４）。制御部１０５は、前記終了通知を受け取ると、指定された番組へのチューニングを受信部１０１に対して依頼する。受信部１０１は、前記依頼を受け取ると、指定された番組への選局を行う（図７、ステップＳ２０５）。選局が終了すると、制御部１０５は、再度、静止画フレーム取得部１０２に対して、選局先の番組の静止画フレームを１つ以上取得するよう依頼を出す。静止画フレーム取得部１０２は、指定された番組の静止画フレームを一つ以上キャプチャし、蓄積部１０６に蓄積した後、その終了通知を制御部１０５に送る（図７、ステップＳ２０６）。
【００２３】
ステップＳ２０５にて一回でも選局が行われると、ザッピング開始と見なされ、以後の処理は、図８に示したザッピング中の処理フローに従う。ステップＳ２０７では、再度リモコンの入力待ちとなる。リモコン情報９０４の入力がない場合、制御部１０５は、ある一定時間間隔で、ザッピング終了と見なすか否かの判断を行う（図８、ステップＳ２１１）。通常は一定時間以上、リモコン情報９０４の入力がない場合、ザッピングは終了したと見なす。ザッピング終了とみなした場合、ザッピングの累積時間のカウントをリセットする（図８、ステップＳ２１２）。更にその時視聴していた番組を視聴番組として再設定（図８、ステップＳ２１３）し、ステップＳ２０２に戻り再度リモコン情報９０４の入力待ちとなる。ステップＳ２０７にて、リモコン情報９０４が入力された場合、前記リモコン情報９０４が選局情報か否かの判断を行う（図８、ステップＳ２０８）。ここで選局情報と見なされた場合、制御部１０５は、受信部１０１に前記選局情報に基づく選局制御情報を送り、選局を行う（ステップＳ２１４）。更に、静止画フレーム取得部１０２に対して、選局先の番組の静止画フレームを１つ以上取得するよう依頼を出す。静止画フレーム取得部１０２は、指定された番組の静止画フレームを一つ以上キャプチャし、蓄積部１０６に蓄積した後、その終了通知を制御部１０５に送る（図８、ステップＳ２１５）。その後、ステップＳ２０７に戻り、リモコン情報９０４の入力待ちとなる。ステップＳ２０８にて、リモコン情報９０４が選局情報以外である場合、前記情報がリモコン２０上の表示切替キー６０３を押下したこのことによる表示切替の情報か否かの判断を行う（ステップＳ２０９）。ここで前記表示切替の情報の場合、制御部１０５は、画面合成部１０３に対して、所定の合成処理を行うよう依頼を出す。画面合成部１０３は、前記依頼を受けると、受信部からの番組コンテンツ９０１に加え、蓄積部１０６に蓄積された前記静止画フレーム９０３と、番組関連情報９０２を取得し、所定の処理に従い、図４に示した合成画面を作成する（ステップＳ２１０）。通常、ここで使用される静止画フレーム９０３は、前記視聴番組では、選局直前の映像をキャプチャしたものを用い、それ以外は、選局直後の映像をキャプチャしたものを用いているが、これに限定したものではない。なお、ザッピング中に一度選局した番組を再度選局した場合でも、静止画フレーム９０３は更新される。ステップＳ２１４にて、既に図４に示した提示を行っていた場合に表示切替の情報を得た時は、上記と逆に、制御部１０５は、画面合成部１０３に対して、現在放映している番組コンテンツ９０１の全画面表示を行うよう依頼を出す。
【００２４】
一方、上記では、リモコン２０の表示切替キーを押下した時にのみ画面の表示切替を行っていたが、これはある選局のタイミングに応じて自動的に切り替わっても良い。例えば、リモコン２０上の左右の矢印キー６０２を特定の回数以上押した場合に、自動的に切り替わることが考えられる。図９に表示切替を自動に行う場合のフロー図を示した。同図は、図８の処理に対して、新たに自動切換えのための工程（ステップS２１６〜ステップS２１９）を追加した図である。以下では追加部分のみの説明を行う。ステップS２０８にて
、リモコン２０からのリモコン情報９０４が選局に関する情報であった場合、制御部１０５は、選局を行う前に、選局回数のカウントを１つ上げる（ステップS２１７）。このカ
ウントは、ザッピングを開始してからの選局の回数をカウントしたものである。その後、制御部１０５は、前記カウントが所定の回数に達しているか否かの判断を行う（ステップS２１８）。ここで前記カウントが所定の回数に達している場合、制御部１０５は、制御
部１０５は、画面合成部１０３に対して、所定の合成処理を行うよう依頼を出す。画面合成部１０３は、前記依頼を受けると、受信部からの番組コンテンツ９０１に加え、蓄積部１０６に蓄積された前記静止画フレーム９０３と、番組関連情報９０２を取得し、所定の処理に従い、図４に示した合成画面を作成する（ステップＳ２１９）。その後は、図８の処理と同様に、ステップS２１４にて選局を行う。ステップS２１８にて、前記カウントが所定の回数に達していない場合は、ステップ２１９の処理は行われず、ステップS２１４
にて選局が行われる。また、ステップＳ２１１では、制御部１０５が、ある一定時間間隔で、ザッピング終了と見なすか否かの判断を行うが、ここでザッピング終了とみなした場合、ザッピングの累積時間のカウントをリセット（ステップS２１２）し、更にその時視
聴していた番組を視聴番組として再設定した後（ステップS２１３）、ステップS２１６にて、前記選局回数のカウントをリセットする。
【００２５】
本実施の形態によれば、視聴者がザッピングを行う、特に、視聴者の嗜好度の高い順にザッピングを行う際の番組選択方法において、ザッピングした履歴が、番組名やチャンネル番号だけではなく、静止画フレームを含んだリストとして提示されるため、視聴者は、ザッピング中に視聴した番組の番組名やチャンネル番号をその都度覚える必要がなく、視聴中の映像の一部を覚えているだけで、番組の識別が可能になる。更に前記リスト中の静止画フレーム及び番組名を、リモコンを用いて選択可能なため、例えば、多数の番組をザッピングした後に、その途中の番組を再度確認したい場合などに、容易に該当する番組を認識し、選択することが可能となる。
【００２６】
一方、上記ザッピングを裏番組の確認として使用し、再び元の番組に戻る場合もある。このような場合でも、元の番組を容易に選択できる状態であることを、画面上に提示してあるため、視聴者はすぐに元の番組に戻ることができる。更に、ザッピング開始からの累積時間を画面上に提示してあるため、例えば、上記のように裏番組を確認している際に、どのタイミングで元の番組にもどればよいかを容易に把握することが可能となる。
【００２７】
なお、本実施の形態では、視聴者の番組認識のために、静止画フレームを用いたが、これは、１つのフレームのみでなく、複数のフレームを連続的に取得し、数秒〜数十秒の動画として視聴者に提示しても良い。この場合の提示は、図４において、番組名「音楽Ａ」４０３、「ニュースＤ」４０４、「バラエティＥ」４０５、「スポーツＣ」４０６、及び音楽A」４０９の各静止画フレーム９０３が、全て、あるいは、フォーカスされている部
分に限って、動画フレームとして提示される。処理フローとしては、図８のステップS２
１５において、選局後の映像キャプチャを、所定の時間連続的に行うことで、動画フレームを取得する。
【００２８】
（第２の実施の形態）
本発明の第２の実施の形態に係る受信装置１０の構成は、第１の実施形態と同様である。リモコン２０の構成も同様となる。図１０に本実施の形態におけるザッピングの履歴リストを記した画面提示例を示した。同図は図３のザッピング操作を視聴者が行った後に、リモコン２０の表示切替キー６０３を押下した際の提示例である。同図は、第一の実施の形態で示した図４の提示例とは異なるもう一つの提示形態の例である。本実施の形態では、第１の実施の形態に加えて、ザッピング中に各番組の視聴した時間の長さが、認識できる提示とする。更に、フォーカスがあたっている番組のキャプチャ済みの静止画フレーム９０３を、視聴した時間の長さに応じて複数毎提示する。図１０の提示例では、上記ザッピング中に各番組の視聴した時間の長さが、静止画フレーム９０３の重なりの数によって識別できる。ここでは番組名「音楽Ａ」５０１及び「スポーツＣ」５０４の静止画フレーム９０３の重なりが３つで、最も長く視聴していたことがわかり、次いで、静止画フレーム９０３の重なりが２つの、番組名「バラエティＥ」５０３となり、もっとも視聴の時間が短かったのが、番組名「ニュースD」５０２であったことが認識できる。更に、フォー
カスが当たっている「スポーツＣ」５０４に関しては、キャプチャした静止画フレーム９０３が、画面上にすべて表示される。ここでは「スポーツＣ」５０４の静止画フレーム９０３は計３つキャプチャしため、合計3つの静止画フレーム９０３（図１０、５０４、５
０５及び５０６）が画面上に表示される。視聴者は、表示された前記複数の静止画フレーム９０３から番組を認識することになる。図１０ではこれまでザッピングしてきた番組の一部を表した１つ又は複数の静止画フレーム９０３が番組名とともに同時に表示される。つまり、選局済みリストは静止画フレームリストとそれに対応した番組名リストが、視聴番組毎にそれぞれ対応付けされて統合されて表示される。本発明においては、視聴した番組名リストは省略することもでき、この場合は静止画フレームをもとに過去の視聴番組を選ぶことになる。
【００２９】
図３及び図１０で示した視聴者の嗜好情報に基づいた番組選択の処理フローを、図６、図７及び図１１に示した。図６は、受信装置１０の起動から最初の番組を提示し、リモコンからの入力を待つまでの処理フローである。図７は、ザッピングが開始される前の前記リモコン入力待ちの状態からザッピングが開始されるまでの処理フローである。また、図１１は、ザッピング中の処理フローである。図６及び図７で示した処理は、第１の実施の形態と同様であるため説明を割愛する。本実施の形態では、図６のステップＳ２０１を、ステップＳ３０１と表現する。また、図７のステップＳ２０２〜ステップＳ２０６を、それぞれステップ３０２〜ステップＳ３０６と表現する。以下では、図１１を用いてザッピング中の処理について説明する。
【００３０】
図７にて、ザッピング開始と見なされ、所定の処理を経た後、図１１のステップＳ３０７にて、リモコン情報９０４の入力待ちとなる。リモコン情報９０４の入力がない場合、制御部１０５は、ある一定時間間隔で、ザッピング終了と見なすか否かの判断を行う（図１１、ステップＳ３１１）。通常は一定時間以上、リモコン情報９０４の入力がない場合、ザッピングは終了したと見なす。ザッピング終了とみなした場合、ザッピングの累積時間のカウントをリセットする（図１１、ステップＳ３１２）。更にその時視聴していた番組を視聴番組として再設定（図１１、ステップＳ３１３）し、図７のステップＳ３０２に戻り、再度リモコン情報９０４の入力待ちとなる。ステップＳ３１１にて、ザッピング終了の確認作業後、制御部１０５は、新たに静止画フレーム９０３を生成するか否かの判断を行う（ステップＳ３１４）。
【００３１】
本実施形態では、ザッピング中の１番組の視聴時間の長さに応じて、その番組の静止画フレーム９０３を複数生成する。図１２に、ザッピング中に１番組に対する静止画フレーム９０３の生成数と視聴時間との関係図を示した。これは、ある番組に選局した後、他の番組へ選局する場合において、その選局タイミングに対する、静止画フレーム９０３の生成数を示している。選局するタイミングは、最大で自動的にザッピングが終了するまでの時間までに限定される。静止画フレーム９０３は、選局直後に１つ必ず生成される。その後、ある一定時間（図１２、時間Ａ）までは、静止画フレーム９０３は生成されない。つまり、時間Ａになる前に他の番組を選局した場合は、静止画フレーム９０３は、１つのみとなる。時間Ａは数秒〜数十秒の比較的短い時間を想定している。視聴者が短い時間間隔でザッピングを行う場合は、各番組毎に一つの静止画フレーム９０３が次々に生成されることになる。その後、時間Ａから時間Ｂの間に他の番組に選局した場合は、２つ目の静止画フレーム９０３が生成される。２つ目は、他の番組に選局する直前の映像を基に生成する。ただし、時間Bに達した時点で、その時点の映像を基に、自動的に２つめの静止画フ
レーム９０３を生成する。その後、時間Ｂからザッピング終了時間の間に他の番組に選局した場合は、３つの静止画フレーム９０３が生成される。３つめは、上記と同様に他の番組に選局する直前の映像を基に生成する。なお、ここでは最大３つの静止画フレーム９０３を生成するとしたが、生成する数はこれにこだわらない。３枚以上の静止画フレーム９０３を生成してもよい。この場合は、時間Ｂとザッピング終了時間との間に、静止画フレ
ーム９０３を生成するための目安となる時間Ｃ、時間Ｄなどの設定が必要となる。
【００３２】
以上より、ステップＳ３１４では、生成済みの静止画フレーム数が１つの場合において、視聴時間が時間Ｂに到達しているか否かを確認する。時間Ｂに到達している場合、制御部１０５は、静止画フレーム取得部１０２に対して、選局先の番組の静止画フレームを１つ取得するよう依頼を出す。静止画フレーム取得部１０２は、指定された番組の静止画フレームをキャプチャし、蓄積部１０６に蓄積した後、その終了通知を制御部１０５に送る（図１１、ステップＳ３１５）。その後、ステップＳ３０７に戻り、リモコン情報９０４の入力待ちとなる。
【００３３】
ステップＳ３０７にて、リモコン情報９０４が入力された場合、前記リモコン情報９０４が選局情報か否かの判断を行う（図１１、ステップＳ３０８）。ここで選局情報と見なされた場合、制御部１０５は、静止画フレーム取得部１０２に対して、選局前の番組の静止画フレームを１つ取得するよう依頼を出す。静止画フレーム取得部１０２は、指定された番組の静止画フレーム９０３をキャプチャし、蓄積部１０６に蓄積した後、その終了通知を制御部１０５に送る（図１１、ステップＳ３１６）。但し、ステップS３０８にて、
選局と見なされた場合でも、視聴時間が時間Aに達していない場合は、ステップS３１６の工程はスキップされ、選局前の番組の静止画フレーム９０３はキャプチャされない。その後、制御部１０５は、受信部１０１に前記選局情報に基づく選局制御情報を送り、選局を行う（ステップＳ３１７）。更に、再度静止画フレーム取得部１０２に対して、選局先の番組の静止画フレームを１つ以上取得するよう依頼を出す。静止画フレーム取得部１０２は、指定された番組の静止画フレームを一つキャプチャし、蓄積部１０６に蓄積した後、その終了通知を制御部１０５に送る（図１１、ステップＳ３１８）。その後、ステップＳ３０７に戻り、リモコン情報９０４の入力待ちとなる。ステップＳ３０８にて、リモコン情報９０４が選局情報以外である場合、前記情報が表示切替の情報か否かの判断を行う（ステップＳ３０９）。ここで表示切替の場合、制御部１０５は、画面合成部１０３に対して、所定の合成処理を行うよう依頼を出す。画面合成部１０３は、前記依頼を受けると、受信部からの番組コンテンツ９０１に加え、蓄積部１０６に蓄積された前記静止画フレーム９０３と、番組関連情報９０２を取得し、所定の処理に従い、図１０に示した合成画面を作成する（ステップＳ３１０）。
【００３４】
各番組に、複数の静止画フレーム９０３が存在することが想定されるが、フォーカス可能なリスト内に表示されるのは、選局直後に生成された静止画フレーム９０３となる。ただし、前記視聴番組のみは、選局直前の映像をキャプチャした静止画フレーム９０３が使用される。その他の静止画フレームは、フォーカスが当たった時に始めて表示されることとなる。
【００３５】
なお、ザッピング中に一度選局した番組を再度選局した場合でも、静止画フレーム９０３は更新される。ステップＳ３１４にて、既に図１０に示した提示を行っていた場合に表示切替の情報を得た時は、上記と逆に、制御部１０５は、画面合成部１０３に対して、現在放映している番組コンテンツ９０１の全画面表示を行うよう依頼を出す。
【００３６】
本実施の形態によれば、視聴者がザッピングを行う、特に、視聴者の嗜好度の高い順にザッピングを行う選局表示方法において、第１の実施形態と同様の効果を得ることができる。更に、本実施の形態では、ザッピング中に各番組の視聴した時間の長さが、認識できる提示とし、また、フォーカスがあたっている番組のキャプチャ済みの静止画フレーム９０３を、視聴した時間の長さに応じて複数毎提示することとした。これにより、例えば、ザッピング中に、各番組の視聴が長くなると、視聴者の番組中の詳細なシーンの記憶が曖昧になるため、単数の静止画フレーム９０３のみでは、所望の番組を識別できないことがあるが、このような場合でも、容易に番組の識別を行うことができるようになる。同様に
、ＣＭ等の番組の内容と関係のない映像が、静止画フレーム９０３として表示される場合も前記と同様のことが起きるが、このような状況においても、その他の静止画フレーム９０３から番組の内容を識別することが可能となる。
【００３７】
なお、本実施の形態では、第１の実施形態と同様に、視聴者の番組認識のために、静止画フレームを用いたが、これは、１つのフレームのみでなく、複数のフレームを連続的に取得し、数秒〜数十秒の動画として視聴者に提示しても良い。この場合の提示は、図４において、番組名「音楽Ａ」５０１、「ニュースＤ」５０２、「バラエティＥ」５０３、及び「スポーツＣ」５０４の各静止画フレーム９０３が、全て、あるいは、フォーカスされている部分に限って、動画フレームとして提示される。処理フローとしては、図１１のステップS２１８において、選局後の映像キャプチャを、所定の時間連続的に行うことで、
動画フレームを取得する。
【００３８】
また、図１０の提示例では、第１の実施形態で言及した、元の視聴番組に戻るためのパスを提示してないが、本実施形態においても、第１の実施形態と同様のパスを用意しても良い。すなわち、図１０においても図４と同様に、フォーカスされているフレームの上部に元見ていた番組の番組名と静止画フレーム９０３（図４、４０９）が常に表示され、視聴者はいつでも上矢印キー６０２押下によって、元見ていた番組を選択することができるようにしてもよい。
【００３９】
また、本実施の形態では、リモコン２０の表示切替キーを押下した時にのみ画面の表示切替を行っていたが、これも第１の実施形態と同様に、ある選局のタイミングに応じて自動的に切り替わっても良い。
【図面の簡単な説明】
【００４０】
【図１】本発明の第１及び第２の実施の形態に係る受信装置１０の構成を示すブロック図である。
【図２】本発明の第１及び第２の実施の形態に係るリモコン２０上のキーの構成例である。
【図３】リモコン２０の左右矢印キー６０２押下時の、チャンネル番号順の画面遷移の提示例である。
【図４】本発明の第１の実施の形態に係る画面提示例である。
【図５】本発明の第１の実施の形態に係る画面提示例である。
【図６】本発明の第１及び第2の実施の形態に係る番組選択処理のフロー図である。
【図７】本発明の第１及び第2の実施の形態に係る番組選択処理のフロー図である。
【図８】本発明の第１の実施の形態に係る番組選択処理のフロー図である。
【図９】本発明の第１の実施の形態に係る番組選択処理のフロー図である。
【図１０】本発明の第２の実施の形態に係る画面提示例である。
【図１１】本発明の第２の実施の形態に係る番組選択処理のフロー図である。
【図１２】本発明の第２の実施の形態に係る静止画フレーム９０３の生成数と視聴時間との関係図である。
【符号の説明】
【００４１】
１０    受信装置
２０    リモコン
１０１  受信部
１０２  静止画フレーム取得部
１０３  画面合成部
１０４  表示部
１０５  制御部
１０６  蓄積部
１０７  リモコン入力部
１０８  モデム
１０９  視聴履歴取得部
１１０  ユーザプロファイル生成部
１１１  リスト生成部
６０１  決定キー
６０２  上下左右の矢印キー
６０３  表示切替キー
６０４  テンキー
６０５  Up/Downキー
６０６  電源キー
９０１  番組コンテンツ
９０２  番組関連情報
９０３  静止画フレーム
９０４  リモコン情報
９０５  視聴履歴情報
９０６  視聴者の嗜好情報
９０７  選局リスト
【図１】
2008067403.tif 000003
【図２】
2008067403.tif 000004
【図３】
2008067403.tif 000005
【図４】
2008067403.tif 000006
【図５】
2008067403.tif 000007
【図６】
2008067403.tif 000008
【図７】
2008067403.tif 000009
【図８】
2008067403.tif 000010
【図９】
2008067403.tif 000011
【図１０】
2008067403.tif 000012
【図１１】
2008067403.tif 000013
【図１２】
2008067403.tif 000014